(57)【要約】【課題】衣服の画像をユーザー自身の画像等に組み合わせて表示する処理を、より多くの衣服を対象として行うことが可能な表示装置、表示システム、及び、表示装置の制御方法を提供する。【解決手段】表示装置２は、対象者が所有する衣服の衣服データ、及び、商品の衣服データを取得するデータ取得部２１１と、データ取得部２１１により取得した衣服データに基づき衣服の画像データを取得する衣服画像データ取得部２１２と、対象者の外観を表す画像データを取得する対象画像データ取得部２１３と、衣服画像データ取得部２１２により取得した画像データと、対象画像データ取得部２１３により取得した画像データとを合成して、表示データを生成する画像合成部２１４と、画像合成部２１４により生成した前記表示データを表示する表示部２３と、を備える。【選択図】図２
2016095556.tif 000002
【特許請求の範囲】
【請求項１】
対象者が所有する衣服の衣服データ、及び、商品の衣服データを取得するデータ取得部
と、
前記データ取得部により取得した前記衣服データに基づき衣服の画像データを取得する
衣服画像データ取得部と、
前記対象者の外観を表す画像データを取得する対象画像データ取得部と、
前記衣服画像データ取得部により取得した前記画像データと、前記対象画像データ取得
部により取得した前記画像データとを合成して、表示データを生成する画像合成部と、
前記画像合成部により生成した前記表示データを表示する表示部と、を備えること、
を特徴とする表示装置。
【請求項２】
前記対象者を撮像する撮像部を備え、
前記対象画像データ取得部は、前記撮像部の撮像画像データに基づき前記対象者の外観
を表す画像データを取得すること、を特徴とする請求項１記載の表示装置。
【請求項３】
外部の装置に接続する通信部を備え、
前記データ取得部は前記通信部を介して前記外部の装置から前記衣服データを取得する
こと、
を特徴とする請求項１または２記載の表示装置。
【請求項４】
情報記憶媒体からデータを読み取る読取部を備え、
前記データ取得部は、前記読取部が前記情報記憶媒体から読み取る前記衣服データを取
得すること、
を特徴とする請求項１または２記載の表示装置。
【請求項５】
前記衣服データは、商品の前記衣服に付された販売用のコードであること、を特徴とす
る請求項１から４のいずれかに記載の表示装置。
【請求項６】
表示装置と、
対象者が所有する衣服の衣服データ、及び、商品の衣服データを取得するデータ取得部
と、
前記データ取得部により取得した前記衣服データに基づき衣服の画像データを取得する
衣服画像データ取得部と、
前記対象者の外観を表す画像データを取得する対象画像データ取得部と、
前記衣服画像データ取得部により取得した前記画像データと、前記対象画像データ取得
部により取得した前記画像データとを合成して、表示データを生成する画像合成部と、を
備え、
前記表示装置により、前記画像合成部により生成した前記表示データを表示すること、
を特徴とする表示システム。
【請求項７】
前記衣服データと衣服の前記画像データとを対応付けて記憶する外部装置に接続する通
信部を備え、
前記衣服画像データ取得部は、前記衣服データに基づき、前記通信部に接続する前記外
部装置から衣服の前記画像データを取得すること、
を特徴とする請求項６記載の表示システム。
【請求項８】
前記通信部が外部の検索サーバーに接続し、
前記データ取得部が取得する前記衣服データを前記通信部により前記検索サーバーに送
信し、前記検索サーバーの検索結果を取得し、前記表示装置に表示させる検索部を備える
こと、を特徴とする請求項６または７記載の表示システム。
【請求項９】
対象者が所有する衣服の前記衣服データを記憶する対象者衣服データ記憶部と、
商品の衣服に付される販売用のコードを読み取る読取部と、を備え、
前記データ取得部は、前記対象者衣服データ記憶部が記憶する前記衣服データ、または
、前記読取部が読み取るコードを前記衣服データとして取得すること、
を特徴とする請求項６から８のいずれかに記載の表示システム。
【請求項１０】
入力部を備え、
前記データ取得部は、前記入力部の入力に従って、対象者が所有する衣服の前記衣服デ
ータまたは商品の前記衣服データを取得すること、を特徴とする請求項６から９のいずれ
かに記載の表示システム。
【請求項１１】
対象者が所有する衣服の衣服データ、及び、商品の衣服データを取得し、
取得した前記衣服データに基づき衣服の画像データを取得し、
前記対象者の外観を表す画像データを取得し、
前記衣服データに基づき取得した前記画像データと、前記対象者の外観を表す画像デー
タとを合成して、表示データを生成し、
生成した前記表示データを表示部に表示すること、
を特徴とする表示装置の制御方法。
【発明の詳細な説明】
【技術分野】
【０００１】
本発明は、表示装置、表示システム、及び、表示装置の制御方法に関する。
【背景技術】
【０００２】
従来、ユーザーの外観の画像に衣服やメガネ等の画像を重畳した画像を、ディスプレイ
等に表示する方法が提案された（例えば、特許文献１参照）。特許文献１は、ユーザーが
装着したＨＭＤ（Head Mounted Display）によってユーザー自身の全体像に衣服を着せた
画像を表示するシステムを開示する。また、特許文献２は、被写体を撮影し、撮影した被
写体の画像に仮想衣服の画像を重畳して表示するシステムを開示する。
【先行技術文献】
【特許文献】
【０００３】
【特許文献１】特開２０１１−４８４６１号公報
【特許文献２】特開２０１３−１０１５２６号公報
【発明の概要】
【発明が解決しようとする課題】
【０００４】
特許文献１、２に開示されたように、従来、ユーザーの外観の画像とともに表示できる
対象は、限られた数の衣服等であった。
本発明は、上述した事情に鑑みてなされたものであり、衣服の画像をユーザー自身の画
像等に組み合わせて表示する処理を、より多くの衣服を対象として行うことが可能な表示
装置、表示システム、及び、表示装置の制御方法を提供することを目的とする。
【課題を解決するための手段】
【０００５】
上記目的を達成するために、本発明の表示装置は、対象者が所有する衣服の衣服データ
、及び、商品の衣服データを取得するデータ取得部と、前記データ取得部により取得した
前記衣服データに基づき衣服の画像データを取得する衣服画像データ取得部と、前記対象
者の外観を表す画像データを取得する対象画像データ取得部と、前記衣服画像データ取得
部により取得した前記画像データと、前記対象画像データ取得部により取得した前記画像
データとを合成して、表示データを生成する画像合成部と、前記画像合成部により生成し
た前記表示データを表示する表示部と、を備えること、を特徴とする。
本発明によれば、対象者が所有する衣服、及び、販売される商品の衣服を含む多くの衣
服を対象として、対象者の外観の画像に合成して表示できる。
【０００６】
また、本発明の表示装置は、前記対象者を撮像する撮像部を備え、前記対象画像データ
取得部は、前記撮像部の撮像画像データに基づき前記対象者の外観を表す画像データを取
得すること、を特徴とする。
本発明によれば、衣服の画像を重ねる対象者を撮影し、撮影した画像に衣服の画像を合
成して表示することができる。
【０００７】
また、本発明の表示装置は、外部の装置に接続する通信部を備え、前記データ取得部は
前記通信部を介して前記外部の装置から前記衣服データを取得すること、を特徴とする。
本発明によれば、外部の装置から取得した衣服データに基づく衣服の画像を表示するこ
とができる。このため、表示装置が記憶する画像に限らず、より多くの衣服の画像を対象
者の外観の画像に合成して表示できる。
【０００８】
また、本発明の表示装置は、情報記憶媒体からデータを読み取る読取部を備え、前記デ
ータ取得部は、前記読取部が前記情報記憶媒体から読み取る前記衣服データを取得するこ
と、を特徴とする。
本発明によれば、情報記憶媒体が記憶する衣服データに基づく衣服の画像を表示できる
。
【０００９】
また、本発明の表示装置は、前記衣服データは、商品の前記衣服に付された販売用のコ
ードであること、を特徴とする。
本発明によれば、商品の衣服に付された販売用のコードを利用して、衣服の画像を取得
して表示できる。このため、表示する衣服の画像を取得するための操作が簡単になるため
、操作性の向上を図ることができる。
【００１０】
上記目的を達成するために、本発明の表示システムは、表示装置と、対象者が所有する
衣服の衣服データ、及び、商品の衣服データを取得するデータ取得部と、前記データ取得
部により取得した前記衣服データに基づき衣服の画像データを取得する衣服画像データ取
得部と、前記対象者の外観を表す画像データを取得する対象画像データ取得部と、前記衣
服画像データ取得部により取得した前記画像データと、前記対象画像データ取得部により
取得した前記画像データとを合成して、表示データを生成する画像合成部と、を備え、前
記表示装置により、前記画像合成部により生成した前記表示データを表示すること、を特
徴とする。
本発明によれば、対象者が所有する衣服、及び、販売される商品の衣服を含む多くの衣
服を対象として、対象者の外観の画像に合成して表示できる。
【００１１】
また、本発明の表示システムは、前記衣服データと衣服の前記画像データとを対応付け
て記憶する外部装置に接続する通信部を備え、前記衣服画像データ取得部は、前記衣服デ
ータに基づき、前記通信部に接続する前記外部装置から衣服の前記画像データを取得する
こと、を特徴とする。
本発明によれば、外部装置から取得する衣服の画像データに基づく衣服の画像を表示で
きる。このため、表示装置が記憶する画像に限らず、より多くの衣服の画像を対象者の外
観の画像に合成して表示できる。
【００１２】
また、本発明の表示システムは、前記通信部が外部の検索サーバーに接続し、前記デー
タ取得部が取得する前記衣服データを前記通信部により前記検索サーバーに送信し、前記
検索サーバーの検索結果を取得し、前記表示装置に表示させる検索部を備えること、を特
徴とする。
本発明によれば、検索サーバーの検索結果を利用して、画像データを取得できるので、
より多くの衣服の画像から、表示する衣服の画像を速やかに探して取得できる。
【００１３】
また、本発明の表示システムは、対象者が所有する衣服の前記衣服データを記憶する対
象者衣服データ記憶部と、商品に衣服に付される商品販売用のコードを読み取る読取部と
、を備え、前記データ取得部は、前記対象者衣服データ記憶部が記憶する前記衣服データ
、または、前記読取部が読み取るコードを前記衣服データとして取得すること、を特徴と
する。
本発明によれば、予め記憶した衣服データと、新たに読み取るコードが示す衣服データ
とを利用して、衣服の画像を取得して表示できる。
【００１４】
また、本発明の表示システムは、入力部を備え、前記データ取得部は、前記入力部の入
力に従って、対象者が所有する衣服の前記衣服データまたは商品の前記衣服データを取得
すること、を特徴とする。
本発明によれば、入力に基づき衣服データを取得できるので、表示する対象の衣服が、
予め記憶した衣服データに限られない。このため、より多くの衣服の画像を対象者の外観
の画像に合成して表示できる。
【００１５】
上記目的を達成するために、本発明の表示装置の制御方法は、対象者が所有する衣服の
衣服データ、及び、商品の衣服データを取得し、取得した前記衣服データに基づき衣服の
画像データを取得し、前記対象者の外観を表す画像データを取得し、前記衣服データに基
づき取得した前記画像データと、前記対象者の外観を表す画像データとを合成して、表示
データを生成し、生成した前記表示データを表示部に表示すること、を特徴とする。
本発明によれば、対象者が所有する衣服、及び、販売される商品の衣服を含む多くの衣
服を対象として、対象者の外観の画像に合成して表示できる。
【図面の簡単な説明】
【００１６】
【図１】表示装置を備える表示システムの構成を示す図。
【図２】表示装置の機能ブロック図。
【図３】表示装置を備える表示システムのフローチャート。
【発明を実施するための形態】
【００１７】
以下、図面を参照して本発明の実施形態について説明する。
図１は、本実施形態に係る表示装置２を備える表示システム１の構成を示す図である。
表示システム１は、ユーザー（対象者）の外観を表す画像に、衣服の画像を組み合わせて
表示するシステムである。
図１に示すように、表示システム１は、表示装置２と、自宅用サーバー３と、衣服画像
サーバー４（検索サーバー）とを備え、それぞれが通信ネットワーク６に接続して構成さ
れる。また、図１に示す表示システム１は、表示装置２と店舗サーバー５とが通信可能に
接続して構成される。なお、店舗サーバー５は、通信ネットワーク６に接続された構成で
あってもよい。
自宅用サーバー３、衣服画像サーバー４、及び店舗サーバー５は、コンピューター装置
を用いて実現できる。このコンピューター装置は、例えば、プログラムを実行するＣＰＵ
、ＣＰＵが実行するプログラムや設定に係るデータを不揮発的に記憶するＲＯＭ、及び、
ＣＰＵの動作に伴いワークエリアを提供するＲＡＭ等を備える。また、自宅用サーバー３
、衣服画像サーバー４、及び店舗サーバー５は、処理対象のデータを記憶する記憶装置（
図示略）を備える。
通信ネットワーク６は、公衆回路網、専用線、携帯電話回線等の通信回路、及び、これ
ら回線のバックホーン通信回路など、各種の通信回路またはその組み合わせで実現され、
その具体的構成は限定されない。通信ネットワーク６は、遠隔地を接続できる広域通信回
路網であってもよいし、特定の施設や建物内に敷設されたＬＡＮ（Local Area Network）
であってもよい。
【００１８】
自宅用サーバー３は、ユーザーが所有する衣服の衣服データを管理するサーバー装置で
あり、自宅衣服データベース（ＤＢ）３ａに接続される。自宅衣服ＤＢ３ａ（対象者衣服
データ記憶部）は、自宅用サーバー３がデータを登録し、削除し、編集及び更新可能な形
態でデータを記憶する記憶領域を有し、自宅用サーバー３と一体であってもよいし、別体
のコンピューターであってもよい。自宅用サーバー３は、自宅衣服ＤＢ３ａに衣服データ
を格納する。ここで、衣服データとは、衣服に付された販売用のコードを指し、例えば衣
服が販売される際に衣服に添付される商品タグに、光学的または電磁的に読み取り可能な
形態で記録される。すなわち、自宅用サーバー３が管理する衣服データは、ユーザーが所
有する衣服（以下、自宅衣服と表現する）の販売用のコードである。
自宅用サーバー３は、ユーザーの操作に応じて自宅衣服の衣服データの登録を行い、登
録された衣服データを自宅衣服ＤＢ３ａに格納して管理する。
【００１９】
詳述すると、自宅用サーバー３は、図示せぬＲＦＩＤタグを読み取る読取装置を備え、
この読取装置によって衣服に付されたＲＩＦＤタグを読み取り、販売用のコードを取得し
、当該コードを自宅衣服の衣服データをとして自宅衣服ＤＢ３ａに格納する。例えば、衣
服コードが、衣服に添付されるＲＦＩＤタグに記録され、自宅用サーバー３が読取装置と
してタグリーダーを備える場合、ユーザーがＲＦＩＤタグをタグリーダーに接触させるこ
とで、衣服データが読み取られる。また、衣服コードが、衣服に添付される紙製のタグに
、数字、文字、バーコード、２次元コード或いは三次元コードとして記録されてもよい。
この場合、自宅用サーバー３は読取装置としてカメラやバーコードリーダーを備え、ユー
ザーがタグを読取装置により光学的に読み取らせ、自宅用サーバー３は衣服データを読み
取る。
このように、ユーザーが、所有する衣服に付されたＲＦＩＤタグ等を自宅用サーバー３
に読み込ませることによって、ユーザーが所有する衣服の衣服データを自宅用サーバー３
に登録できる。
自宅用サーバー３は、後述する表示装置２からの衣服データの要求に応じて、通信ネッ
トワーク６を介し、表示装置２に、自宅衣服ＤＢ３ａが格納する衣服データを送信する。
【００２０】
衣服画像サーバー４は、衣服の画像データを管理するサーバー装置であり、衣服画像デ
ータベース（ＤＢ）４ａに接続される。衣服画像ＤＢ４ａは、衣服画像サーバー４がデー
タを登録し、削除し、編集及び更新可能な形態でデータを記憶する記憶領域を有し、衣服
画像サーバー４と一体であってもよいし、別体のコンピューターであってもよい。衣服画
像サーバー４は、衣服画像ＤＢ４ａに衣服の画像データを格納する。
【００２１】
衣服画像ＤＢ４ａは、衣服の画像データに、少なくとも衣服データを対応付けて記憶す
る。衣服画像サーバー４は、表示装置２が送信する画像データの要求に応じて、表示装置
２から衣服データを受信し、衣服画像ＤＢ４ａを参照する。衣服画像サーバー４は、表示
装置２から受信した衣服データに基づいて、衣服画像ＤＢ４ａに記憶された衣服の画像デ
ータを取得し、取得した画像データを表示装置２に送信する。
なお、衣服画像ＤＢ４ａが記憶する画像データは、２次元の画像データであっても、３
次元の画像データであってもよい。
【００２２】
店舗サーバー５は、店舗が販売する商品を管理するサーバー装置であり、商品マスター
データベース（ＤＢ）５ａに接続される。商品マスターＤＢ５ａは、店舗で販売される商
品に関し、商品コード、販売価格、在庫数量等の情報を格納するデータベースである。商
品マスターＤＢ５ａは、店舗で販売される商品の衣服（以下、商品衣服と表現する）のそ
れぞれについて、少なくとも衣服データを格納する。また、商品マスターＤＢ５ａは、衣
服データに対応付けて、衣服の価格、在庫数量、販売履歴に関する情報等を記憶してもよ
い。また、商品マスターＤＢ５ａが格納する衣服データには、衣服を製造した製造事業者
を示す製造者情報、ジャケットやスーツ等の商品の種別を示す商品種別情報等を対応付け
て記憶してもよい。
店舗サーバー５は、表示装置２が送信する衣服データの要求に応じて、商品マスターＤ
Ｂ５ａを参照し、商品マスターＤＢ５ａが格納する衣服データを取得して、表示装置２に
送信する。
【００２３】
表示装置２は、画像を表示する表示画面を備えた装置であり、例えば、液晶表示パネル
、ＰＤＰ（プラズマディスプレイパネル）、ＯＬＥＤ（Organic light-emitting diode）
、ＯＥＬ（Organic Electro-Luminescence）等と呼ばれる有機ＥＬ表示パネル等、表示パ
ネル２３ａを有するフラットパネルディスプレイである。また、表示装置２は、画像光を
壁面やスクリーンに投射するプロジェクター、リアプロジェクション装置、ＣＲＴを備え
た表示装置、ＨＭＤ（Head Mounted Display：頭部装着型表示装置）、或いはその他の表
示装置を採用できる。また、表示装置２は、店舗に据え置き設置されるものであってもよ
いし、携帯型の装置であってもよい。また、表示画面を有するコンピューター、ゲームデ
バイス、携帯型電話機等を表示装置２としてもよい。本実施形態では、表示装置２が、店
舗に据え置き設置されたフラットパネルディスプレイで構成される例を説明する。
【００２４】
表示装置２は、ユーザーの外観を表す画像と、衣服の画像とを組み合わせた画像を表示
する。
図２は、表示装置２の機能ブロック図である。
図２に示すように、表示装置２は、制御部２１（検索部）と、記憶部２２と、表示部２
３と、入力部２４と、カメラ２５（撮影部）と、通信部２６と、読取部２７とを備える。
制御部２１は、図示しない演算実行部としてのＣＰＵ等を備える。制御部２１にはＲＯ
Ｍ（図示略）が接続し、このＲＯＭがＣＰＵによって実行可能な制御プログラム、及び制
御プログラムに係るデータ等を不揮発的に記憶する。また、制御部２１は、ＲＯＭが記憶
する制御プログラムを実行し、後述するデータ取得部２１１、衣服画像データ取得部２１
２、対象画像データ取得部２１３、及び、画像合成部２１４として機能する。
【００２５】
記憶部２２は、ＥＥＰＲＯＭやフラッシュメモリー等の半導体記憶素子、或いは、ハー
ドディスク等の記憶媒体を備え、各種データを書き換え可能に不揮発的に記憶する。
【００２６】
表示部２３は、上述したように表示パネル２３ａを備える。表示部２３は、制御部２１
から入力した制御信号と画像信号とに基づいて各種駆動回路を駆動して、表示パネル２３
ａに画像を表示する。
【００２７】
入力部２４には、ユーザーが操作する入力デバイス（図示略）が接続され、入力デバイ
スに対する入力操作を検出して、操作内容に対応する操作信号を生成し、制御部２１に出
力する。入力部２４に接続される入力デバイスは、マウスやトラックボール等のポインテ
ィングデバイス、キースイッチを備えた操作パネル等が挙げられる。本実施形態では、表
示部２３の表示パネル２３ａに重ねて配置されたタッチパネルが、入力デバイスとして入
力部２４に接続される。入力部２４はタッチパネルへの操作を検出して、操作位置に対応
する操作信号を出力する。
【００２８】
カメラ２５は、制御部２１の制御に従ってユーザーの外観の撮影を実行し、撮影結果に
基づいて撮影画像データを生成し、制御部２１に出力する。なお、ユーザーを撮影した撮
影画像データとしては、画像が立体的になる３次元画像データが挙げられるが、２次元の
画像となる２次元画像データであってもよい。
【００２９】
通信部２６は、制御部２１の制御で、所定の通信規格に準拠して、通信ネットワーク６
にアクセスし、通信ネットワーク６に接続された外部のサーバーと通信する。本実施形態
では、通信部２６は、通信ネットワーク６を介し、自宅用サーバー３及び衣服画像サーバ
ー４と通信する。また、通信部２６は、制御部２１の制御の下、所定の通信規格に準拠し
て、店舗サーバー５と通信する。
【００３０】
読取部２７は、センサーやスキャナー等により構成され、商品に付されるＲＦＩＤタグ
やバーコード、２次元コード、３次元コード等の販売用のコードを読み取る。読み取られ
たコードは、制御部２１に出力される。制御部２１は、当該コードを衣服データとして取
得する。
【００３１】
図２に示すように、制御部２１は、機能ブロックとして、データ取得部２１１と、衣服
画像データ取得部２１２と、対象画像データ取得部２１３と、画像合成部２１４とを備え
る。
データ取得部２１１は、自宅用サーバー３、及び、読取部２７から衣服データを取得す
る。自宅用サーバー３から衣服データを取得する場合、データ取得部２１１は、自宅用サ
ーバー３と表示装置２とが通信ネットワーク６を介して接続された状態であるときに、自
宅用サーバー３に衣服データを要求するコマンドを送信する。自宅用サーバー３は、受信
したコマンドを解析し、自宅衣服ＤＢ３ａに格納する衣服データを取得して、表示装置２
に送信し、データ取得部２１１は、自宅用サーバー３が送信する衣服データを受信する。
読取部２７から衣服データを取得する場合、データ取得部２１１は、読取部２７が読み
取り出力したコードを、衣服データとして取得する。
【００３２】
衣服画像データ取得部２１２は、データ取得部２１１が取得した衣服データに基づき、
衣服の画像データを取得する。衣服画像データ取得部２１２は、画像データを衣服画像サ
ーバー４に要求するコマンドを送信する。ここで衣服画像データ取得部２１２が送信する
コマンドには、データ取得部２１１が取得した衣服データが付加される。衣服画像サーバ
ー４は、衣服画像データ取得部２１２が送信したコマンドに応じて、衣服画像データ取得
部２１２が送信した衣服データに対応する衣服の画像データを、衣服画像ＤＢ４ａから取
得して、表示装置２に送信する。衣服画像データ取得部２１２は、衣服画像サーバー４が
送信した画像データを受信し、画像データを取得する。
【００３３】
対象画像データ取得部２１３は、カメラ２５が撮影した撮影結果に基づく撮影画像デー
タを取得する。本実施形態では、ユーザーがカメラ２５の撮影範囲内に立って撮影を指示
することにより、カメラ２５がユーザーを撮影するので、対象画像データ取得部２１３は
ユーザーが写った撮影画像データを取得する。
【００３４】
画像合成部２１４は、衣服画像データ取得部２１２が取得した画像データ、及び、対象
画像データ取得部２１３が取得した画像データを合成して、表示部２３の表示パネル２３
ａに表示するための表示データを生成する。衣服の画像データと、ユーザーの外観の画像
データとを合成する処理は、例えば画像データのドット毎に色データを上書きする等の既
知の方法を用いて実行される。
画像合成部２１４は、生成した表示データを制御部２１に出力する。制御部２１は、出
力された表示データに基づいて、表示部２３を制御して、表示データに基づく画像を表示
パネル２３ａに表示する。
【００３５】
表示装置２が衣服の画像とユーザーの外観の画像を組み合わせて表示する態様として、
例えば、衣服を販売する店舗における衣服の試着が挙げられる。店舗に設置された表示装
置２が衣服の画像とユーザーの外観の画像を組み合わせて表示することで、ユーザーは、
自分が衣服を着た状態を表示画像で確認でき、実際に着替えることなく試着が可能となる
。さらに、表示システム１では、ユーザーの外観の画像に組み合わされる衣服の画像が、
店舗で販売される商品衣服の画像等に限られず、ユーザーが所有する衣服の画像を、ユー
ザーの外観の画像、及び／又は店舗で販売される画像と組み合わせて表示できる。この動
作について、以下に説明する。
【００３６】
図３は、表示システム１の動作を示すフローチャートである。図３のフローチャートは
、衣服を販売する店舗における表示システム１の動作を例示する。図３（Ａ）は自宅用サ
ーバー３の動作を示し、図３（Ｂ）は表示装置２の動作を示し、図３（Ｃ）は衣服画像サ
ーバー４の動作を示し、図３（Ｄ）は店舗サーバー５の動作を示す。
【００３７】
制御部２１は、通信部２６を制御して所定の通信プロトコルを実行し、自宅用サーバー
３に接続する（ステップＳＢ１）。表示装置２と自宅用サーバー３との接続が完了すると
、制御部２１は、自宅衣服と合わせて商品衣服を表示する処理を行うか否かを判定する（
ステップＳＢ２）。ここで、制御部２１は、自宅衣服と商品の衣服とを合わせて表示する
か否かの入力を求めるテキストや画像を表示部２３に表示し、或いは、入力を求める音声
を図示しない音声出力部で出力して、入力部２４の入力を待機してもよい。
制御部２１は、入力部２４の操作の有無等に基づき、自宅の衣服と合わせて表示する動
作をしないと判定した場合（ステップＳＢ２：ＮＯ）、後述するステップＳＢ９に移行す
る。
一方、自宅の衣服と合わせる動作を行うと判定した場合（ステップＳＢ２：ＹＥＳ）、
制御部２１は、自宅用サーバー３に対し、衣服データを要求するコマンドを送信する（ス
テップＳＢ３）。なお、このコマンドを送信する際に、全ての衣服データの送信を要求で
きるとともに、一部の衣服データのみの送信を要求できるようにしてもよい。一部の衣服
データのみを要求する場合には、ユーザーが特定の衣服を個々に指定できるようにしても
よいし、衣服の種類（スカートやセーター等）を指定できるようにしてもよい。一部の衣
服データのみを要求する場合には、自宅用サーバー３が表示装置２に送信するデータ量を
抑えることができる。
【００３８】
自宅用サーバー３は、表示装置２から衣服データを要求するコマンドを受信する（ステ
ップＳＡ１）。次いで、自宅用サーバー３は、受信したコマンドに応じて、接続された自
宅衣服ＤＢ３ａに格納される全てまたは一部の衣服データを表示装置２に送信する（ステ
ップＳＡ２）。
【００３９】
制御部２１のデータ取得部２１１は、自宅用サーバー３から自宅衣服の衣服データを受
信する（ステップＳＢ４）。次いで、制御部２１は、衣服画像サーバー４に画像データを
要求するコマンドを送信する（ステップＳＢ５）。制御部２１は、画像データを要求する
コマンドと、自宅用サーバー３から受信した自宅衣服の衣服データとを送信する。
【００４０】
衣服画像サーバー４は、表示装置２から送信された画像データを要求するコマンドと、
衣服データとを受信する（ステップＳＣ１）。次いで、衣服画像サーバー４は衣服画像Ｄ
Ｂ４ａを参照して、表示装置２が送信した衣服データに対応する画像データを衣服画像Ｄ
Ｂ４ａから取得し、表示装置２に送信する（ステップＳＣ２）。
【００４１】
制御部２１の衣服画像データ取得部２１２は、衣服画像サーバー４が送信する画像デー
タを受信する（ステップＳＢ６）。次いで、制御部２１は、ステップＳＢ６で受信した画
像データに基づく画像を、表示パネル２３ａに表示する（ステップＳＢ７）。すなわち、
制御部２１は、自宅用サーバー３に格納された自宅衣服の画像を表示パネル２３ａに表示
する。このように、表示装置２は、表示装置２が記憶する画像に限らず、より多くの衣服
の画像を表示できる。また、後述するが、ユーザーの外観の画像に衣服の画像を合成する
際に、より多くの衣服の画像を合成できる。
【００４２】
制御部２１は、ステップＳＢ４で自宅用サーバー３から複数の衣服データを受信し、こ
れら複数の衣服データに対応する複数の画像データをステップＳＢ６で受信した場合、複
数の画像を表示パネル２３ａに一覧表示する。このように衣服の画像が一覧表示された画
面は、入力部２４が検出するユーザーの操作により、一覧表示された衣服の画像から、１
または複数の衣服の画像を選択可能である。制御部２１は、一覧表示された衣服の画像か
ら、予め設定された数（例えば、１つ）の衣服の画像が選択されるまで待機する。入力部
２４が検出する操作に基づき、一覧表示された衣服の画像から設定された数の衣服の画像
が選択された場合（ステップＳＢ８）、制御部２１は、ステップＳＢ９に移行する。
【００４３】
ステップＳＢ９で、制御部２１のデータ取得部２１１は、衣服データを読取部２７によ
って読み取って取得する。ステップＳＢ９では、ユーザーが、商品衣服のコード等を読取
部２７により読み取らせる。ステップＳＢ９で読取部２７により読み取る衣服データの数
は、予め上限が設定されていてもよく、制限がなくても良い。
制御部２１は、衣服画像サーバー４に画像データを要求するコマンドと、ステップＳＢ
９でデータ取得部２１１が取得した衣服データとを送信する（ステップＳＢ１０）。
衣服画像サーバー４は、表示装置２が送信するコマンド、及び、衣服データを受信し（
ステップＳＣ３）、受信した衣服データに対応する画像データを衣服画像ＤＢ４ａから取
得し、表示装置２に送信する（ステップＳＣ４）。
【００４４】
制御部２１の衣服画像データ取得部２１２は、衣服画像サーバー４が送信した画像デー
タを受信する（ステップＳＢ１１）。制御部２１は、受信した画像データに基づく画像を
、表示パネル２３ａに表示する（ステップＳＢ１２）。これにより、ステップＳＢ９で読
み取られた商品衣服の画像が、表示パネル２３ａに表示される。
【００４５】
このように、ユーザーは、表示装置２により、衣服画像サーバー４が記憶する多くの衣
服の画像データから、自宅の衣服と商品の衣服の画像データを選択し、速やかに取得でき
る。また、商品衣服の画像データを取得する場合、商品衣服に付された販売用のコードを
読み取ることで、商品衣服の画像を取得するための操作が簡単になり、操作性の向上を図
ることができる。
【００４６】
なお、本実施形態の構成において、店舗サーバー５が商品衣服の衣服データを管理して
おり、表示装置２の制御部２１が、店舗サーバー５から商品衣服の衣服データを取得する
構成としてもよい。この場合、ユーザーは、商品衣服に付されたコードを読取部２７によ
って読み取る手間を省くことができる。
【００４７】
ステップＳＢ１２において、制御部２１は、商品衣服の画像を表示する。ここで、ステ
ップＳＢ９で読み取った衣服データが複数あり、ステップＳＢ１１で複数の画像データを
受信した場合、制御部２１は、複数の画像を一覧表示する。商品衣服の画像が表示された
画面では、ユーザーの操作に基づき、１の商品衣服の画像を選択可能である。
入力部２４が検出する操作により１の商品衣服の画像が選択され、商品衣服の画像の選
択が終了すると（ステップＳＢ１３）、制御部２１はステップＳＢ１４に移行する。
【００４８】
ステップＳＢ１４で、対象画像データ取得部２１３は、カメラ２５を制御して撮影を実
行し、撮影画像データを取得する（ステップＳＢ１４）。ここで、対象画像データ取得部
２１３は入力部２４の操作に応じて撮影を行い、或いは、ユーザーに対し撮影実行を案内
する表示を行ってから撮影を行う。ユーザーは、撮影実行のタイミングに合わせて、カメ
ラ２５の撮影範囲内にいればよい。なお、ユーザーの外観の画像データを取得する方法は
カメラ２５で撮影する方法に限定されない。例えば、店舗サーバー５がユーザーの外観の
画像データを記憶していてもよい。この場合、例えば店舗の会員としてユーザーが登録さ
れる際に、ユーザーを撮影した撮影画像を店舗サーバー５が記憶すればよく、ステップＳ
Ｂ１４でユーザーを撮影する処理を省くことができる。
【００４９】
画像合成部２１４は、ステップＳＢ８で選択された画像に対応する画像データ、ステッ
プＳＢ１３で選択された画像に対応する画像データ、及び、ステップＳＢ１４で対象画像
データ取得部２１３が取得した画像データを合成して、表示データを生成する（ステップ
ＳＢ１５）。なお、ユーザーの外観の画像データと、衣服の画像データとは、同じ次元の
画像データ同士が合成される。すなわち、ユーザーの外観の画像データが２次元の場合に
は、２次元の衣服の画像データが合成され、ユーザーの外観の画像データが３次元の場合
には、３次元の衣服の画像データが合成される。
【００５０】
制御部２１は、画像合成部２１４で生成した表示データに基づく画像を、表示パネル２
３ａに表示する（ステップＳＢ１６）。このように、表示装置２は、自宅衣服、及び、商
品衣服を含む多くの衣服を対象として、ユーザーの外観の画像に組み合わせて表示できる
。また、自宅衣服ＤＢ３ａに格納される衣服データと、読取部２７が読み取る衣服データ
とを利用し、衣服の画像データを取得できるため、自宅衣服、及び、商品衣服の画像を表
示できる。
【００５１】
その後、制御部２１は、表示した画像に含まれる衣服の画像を変更する衣服変更処理を
実行するか否かを判定する。ここで、制御部２１は、衣服を変更するか否かの入力を求め
るテキストや画像を表示部２３に表示し、或いは、入力を求める音声を図示しない音声出
力部で出力して、入力部２４の入力を待機してもよい。制御部２１は、入力部２４の操作
の有無等に基づき、衣服を変更する処理を行わないと判定した場合（ステップＳＢ１７：
ＮＯ）、後述するステップＳＢ１９に移行する。
一方、衣服を変更する処理を行うと判定した場合（ステップＳＢ１７：ＹＥＳ）、制御
部２１は、変更する衣服が自宅衣服か商品衣服かを判定する（ステップＳ１８）。次いで
、自宅衣服を変更すると判定した場合（ステップＳＢ１８：ＹＥＳ）、制御部２１は、ス
テップＳＢ６で受信した画像データに基づく衣服の画像を一覧表示する（ステップＳＢ２
８）。ここで、画像が一覧表示される画面では、ステップＳＢ７と同様、ユーザーの操作
により一覧表示した衣服の画像から１または所定数の画像を選択可能である。
【００５２】
ここで、一覧表示された画像から画像を選択する操作が終了すると（ステップＳＢ２９
）、制御部２１は、ステップＳＢ１５に戻る。ステップＳＢ１５では、画像合成部２１４
が、ステップＳＢ２９で選択された画像の画像データを合成する処理を行う。
【００５３】
また、変更する衣服が自宅衣服でない場合、すなわち商品衣服である場合（ステップＳ
Ｂ１８：ＮＯ）、制御部２１は、ステップＳＢ１１で受信した画像データに基づく画像を
一覧表示する（ステップＳＢ３０）。入力部２４の操作により、一覧表示された画像から
画像を選択する操作が終了すると（ステップＳＢ３１）、制御部２１は、ステップＳＢ１
５に戻る。ステップＳＢ１５では、画像合成部２１４が、ステップＳＢ３１で選択された
画像の画像データを合成する処理を行う。なお、商品衣服を変更する処理（ステップＳＢ
３０〜ＳＢ３１）に際し、再度、商品の衣服の衣服データを読取部２７で読み取ってもよ
い。この場合、商品の衣服に付されたコードを読み込ませることによって新たな衣服の画
像を合成することができる。
このように、表示装置２は、ユーザーの外観の画像に衣服の画像を組み合わせた画像を
表示した後も、自宅衣服、及び、商品衣服の画像の変更ができる。このため、表示装置２
において、ユーザーの利便性の向上を図ることができる。
【００５４】
また、衣服の画像を変更する処理をしないと判定した場合（ステップＳＢ１７：ＮＯ）
、購入対象衣服のサイズを選択するための確認表示をする（ステップＳＢ１９）。衣服の
画像を変更しない場合、表示パネル２３ａに表示された商品衣服が購入対象の衣服（以下
、購入対象衣服と表現する）であると考えることができる。このため、制御部２１は、ス
テップＳＢ１９から、商品の購入に係る処理を実行する。サイズの確認表示は、商品のサ
イズを選択する操作が可能な画面であり、例えば、ステップＳＢ１６において、合成され
た画像データに基づく画像を表示したまま、選択可能な商品のサイズを示す選択用のダイ
アログボックスを表示する形態とすることができる。この確認表示に基づき、ユーザーは
、入力部２４の入力操作により購入希望のサイズを選択入力する。
制御部２１は、入力部２４の入力により選択された購入希望のサイズを示すデータと、
ステップＳＢ１３で選択された衣服の衣服データと、在庫数及び価格の情報を要求するコ
マンドとを、店舗サーバー５に送信する（ステップＳＢ２０）。
【００５５】
店舗サーバー５は、表示装置２から送信されたコマンド、衣服データ、及び、衣服デー
タのサイズに関するデータを受信する（ステップＳＤ１）。
ここで、衣服データがサイズのデータを含む場合、すなわち、衣服データが衣服の種類
だけでなく衣服のサイズ毎に異なるデータである場合は、ステップＳＢ２０及びステップ
ＳＤ１でコマンドと衣服データとが送受信される。
店舗サーバー５は、受信した衣服データに基づき、接続された商品マスターＤＢ５ａを
参照し、受信した衣服データ及びサイズのデータに対応する衣服の在庫数、及び、価格に
関するデータを、表示装置２に送信する（ステップＳＤ２）。ここで、店舗サーバー５は
、表示装置２が設置された店舗における在庫数と、表示システム１で管理可能な他の店舗
における在庫数とを区別して、データを送信してもよい。
【００５６】
制御部２１は、店舗サーバー５から送信されたデータを受信し（ステップＳＢ２１）、
受信したデータに基づいて、購入対象衣服の在庫があるか否かを判定する（ステップＳＢ
２２）。ステップＳＢ２０、ＳＢ２１、ＳＢ２２、及びＳＤ１〜ＳＤ２の動作は、ステッ
プＳＢ９で商品衣服に付されたコードを読み取った場合も実行する。在庫数のデータが在
庫ゼロを示すデータであった場合、制御部２１は在庫がないと判定する（ステップＳＢ２
２：ＮＯ）。この場合、制御部２１は、店舗サーバー５または他の店舗の在庫を管理する
サーバー装置（図示略）に検索要求のコマンドと衣服データとサイズを示すデータとを送
信し、購入対象衣服を販売する他店舗の在庫数を検索する。この動作は、テップＳＢ２０
、ＳＢ２１、ＳＢ２２、及びＳＤ１〜ＳＤ２と同様である。そして、他店舗における在庫
に関する検索結果のデータを表示し（ステップＳ２７）、本処理を終了する。
【００５７】
一方、在庫数を示すデータが、在庫数ゼロ以外のデータであった場合、制御部２１は在
庫があると判定し（ステップＳＢ２２：ＹＥＳ）、ステップＳＢ２１で受信したデータに
基づき価格を表示する（ステップＳＢ２３）。ここで、制御部２１は、価格を表示する画
面を、購入対象衣服を購入するか否かを入力可能な画面として表示する。例えば、ステッ
プＳＢ１６において、合成された画像データに基づく画像を表示したまま、購入の要否を
入力するダイアログボックスを表示する形態とすることができる。また、この画面におい
て在庫数を表示してもよい。この画面に基づき、ユーザーは、入力部２４の入力操作によ
り購入するか否かを選択入力する。
入力部２４により購入しないと入力された場合（ステップＳＢ２４：ＮＯ）、制御部２
１は、本処理を終了する。また、入力部２４により購入すると入力された場合（ステップ
ＳＢ２４：ＹＥＳ）、制御部２１は、表示パネル２３ａに、レジへ向かうよう案内するテ
キストや画像を含む案内画面を表示し（ステップＳＢ２５）、本処理を終了する。
【００５８】
上述した動作で、表示装置２は、自宅衣服の衣服データを取得する場合に、自宅用サー
バー３に対して衣服データを要求したが、表示装置２が衣服データを取得する方法は、こ
れに限定されない。例えば、表示装置２は、ＩＣカードや携帯端末等、データを記憶また
は記録可能な情報記憶媒体に記録された、自宅衣服の衣服データを取得してもよい。
以下、携帯端末を用いる場合とＩＣカードを用いる場合とについて、一例として説明す
る。
【００５９】
＜携帯端末＞
携帯端末を利用し表示装置２が衣服データを取得する場合について説明する。
この場合、自宅用サーバー３が携帯端末に衣服データを送信する。携帯端末には、表示
装置２に衣服データを送信するためのアプリケーション（以下、専用アプリと表現する）
が予めインストールされ、携帯端末が自宅用サーバー３と通信可能な状態において、専用
アプリを実行し、自宅用サーバー３に接続された自宅衣服ＤＢ３ａが記憶する衣服データ
を要求する。自宅用サーバー３は、携帯端末の要求に応答して、自宅衣服ＤＢ３ａに記憶
された衣服データを携帯端末に送信し、携帯端末は、自宅用サーバー３が送信する衣服デ
ータを受信し、記憶する。ここで、専用アプリは、ユーザーが携帯端末を操作することに
より実行されてもよいし、予め設定された条件に従って自動的に実行されてもよく、例え
ば、一定期間毎に、自宅用サーバー３から衣服データを取得して更新してもよい。
【００６０】
表示装置２は、自宅衣服の衣服データを記憶した携帯端末から、衣服データを取得する
。例えば、ステップＳＢ１〜ＳＢ４で自宅用サーバー３に接続し、衣服データを受信する
動作に代えて、携帯端末から衣服データを取得する動作を行う。表示装置２には、携帯端
末と接続して、当該携帯端末が記憶する衣服データを取得すためのソフトウェア（以下、
専用ソフトと表現する）が予めインストールされる。表示装置２は、専用ソフト及び専用
アプリの機能により携帯端末と接続し、衣服データを取得する。なお、専用アプリの機能
により、携帯端末が記憶する衣服データを表示装置２の読取部２７が読み取り可能なコー
ドとして表示し、当該コードを表示装置２の読取部２７が読み取ることによって衣服デー
タを取得できる構成であってもよい。
【００６１】
＜ＩＣカード＞
ＩＣカードを利用し表示装置２が衣服データを取得する場合について説明する。
この場合、自宅用サーバー３は、ＩＣカードと通信を行う通信部（図示略）を備える。
ＩＣカードは、接触式または非接触式のカード型記録媒体であり、自宅用サーバー３は、
ＩＣカードに対応する通信部を備える。例えば、ＩＣカードが接触式であれば、自宅用サ
ーバー３の通信部は接触式ＩＣカードリーダー／ライターであり、ＩＣカードが非接触式
であれば、自宅用サーバー３の通信部はＮＦＣ（Near Field Communication）通信部であ
る。この通信部によって、自宅用サーバー３はＩＣカードと通信し、自宅衣服ＤＢ３ａに
格納された衣服データをＩＣカードに書き込む。なお、自宅用サーバー３は、自宅衣服Ｄ
Ｂ３ａに格納された全ての衣服データをＩＣカードに書き込んでもよいし、予め設定され
た、一部の衣服データを書き込んでもよく、ＩＣカードの記憶容量に応じた衣服データを
書き込んでもよい。
【００６２】
表示装置２の読取部２７が、接触式ＩＣカードリーダー／ライターやＮＦＣ通信部を備
える場合、表示装置２は読取部２７によりＩＣカードから衣服データを取得できる。
このように、表示装置２は、情報記憶媒体から自宅衣服の衣服データを取得し、ユーザ
ーが所有する衣服の画像を表示できる。これらの例では、自宅用サーバー３が、表示装置
２と通信可能に接続される必要がないため、表示システム１を簡易にすることができる。
【００６３】
また、表示装置２において、入力部２４の操作により、直接、衣服データを入力可能な
構成であってもよい。この場合、ユーザーが入力部２４を操作するだけで、ユーザーが所
有する衣服の画像を表示させることができる。
【００６４】
以上説明したように、表示装置２は、ユーザーが所有する衣服の衣服データ、及び、商
品の衣服データを取得するデータ取得部２１１と、データ取得部２１１により取得した衣
服データに基づき衣服の画像データを取得する衣服画像データ取得部２１２と、ユーザー
の外観の画像データを取得する対象画像データ取得部２１３と、衣服画像データ取得部２
１２により取得した画像データと、対象画像データ取得部２１３により取得した画像デー
タとを合成して、表示データを生成する画像合成部２１４と、画像合成部２１４により生
成した表示データを表示する表示部２３と、を備える。これにより、ユーザーが所有する
衣服、及び、販売される商品の衣服を含む多くの衣服を対象として、ユーザーの外観の画
像に合成して表示できる。
【００６５】
また、表示装置２は、ユーザーを撮像するカメラ２５を備え、対象画像データ取得部２
１３は、カメラ２５の撮像画像データに基づきユーザーの外観の画像データを取得する。
これにより、衣服の画像を重ねる対象者であるユーザーを撮影し、撮影した画像に衣服の
画像を合成して表示することができる。
【００６６】
また、表示装置２は、通信部２６を備え、通信部２６により自宅用サーバー３と通信し
、データ取得部２１１は、通信部２６を介して自宅用サーバー３から衣服データを取得す
る。これにより、外部の装置から取得した衣服データに基づく衣服の画像を表示すること
ができる。このため、表示装置２が記憶する画像に限らず、より多くの衣服の画像をユー
ザーの外観の画像に合成して表示できる。
【００６７】
また、表示装置２は、情報記憶媒体からデータを読み取る読取部２７を備え、データ取
得部２１１は、読取部２７が情報記憶媒体から読み取る衣服データを取得してもよい。こ
れにより、情報記憶媒体が記憶する衣服データに基づく衣服の画像を表示できる。
【００６８】
また、衣服データは、商品の衣服に付された販売用のコードであるため、商品の衣服に
付された販売用のコードを利用して、衣服の画像を取得して表示できる。このため、表示
する衣服の画像を取得するための操作が簡単になるため、操作性の向上を図ることができ
る。
【００６９】
また、表示システム１は、通信部２６により外部の衣服画像サーバー４に接続し、デー
タ取得部２１１が取得する衣服データを通信部２６により衣服画像サーバー４に送信し、
衣服画像サーバー４から画像データを取得し、取得した画像データに基づく画像を表示さ
せる表示装置２を備える。これにより、自宅衣服、及び、商品衣服の画像を取得する動作
において、衣服画像サーバー４を利用して、衣服データに対応する画像データを取得でき
るため、より多くの衣服の画像から、表示する衣服の画像を速やかに取得できる。
【００７０】
また、表示システム１は、ユーザーが所有する衣服の前記衣服データを記憶する自宅衣
服ＤＢ３ａと、商品衣服に付される販売用のコードを読み取る読取部２７と、を備える。
データ取得部２１１は、自宅衣服ＤＢ３ａが記憶する衣服データ、または、読取部２７が
読み取るコードを衣服データとして取得する。これにより、予め記憶した衣服データと、
新たに読み取るコードが示す衣服データとを利用して、衣服の画像を取得して表示できる
。
【００７１】
また、表示システム１は、入力部２４を備える。データ取得部２１１は、入力部２４の
入力に従って、ユーザーが所有する衣服の前記衣服データまたは商品の前記衣服データを
取得する。これにより、入力に基づき衣服データを取得できるので、表示する対象の衣服
が、予め記憶した衣服データに限られない。このため、より多くの衣服の画像をユーザー
の外観の画像に合成して表示できる。
【００７２】
なお、上述した実施形態は、あくまでも本発明の一態様を示すものであり、本発明の範
囲内で任意に変形および応用が可能である。
例えば、上述した実施形態における表示装置２を備える表示システム１は、店舗に設置
される表示装置２に、ユーザー自身の画像と衣服の画像とを組み合わせて表示する例を説
明した。本発明はこれに限定されず、表示装置２は、ユーザーが自宅に設置するコンピュ
ーター、或いは、携帯可能なコンピューターや携帯端末であってもよい。この場合、店舗
に赴くことなく商品を購入する場合であっても、ユーザーの外観の画像と衣服の画像を組
み合わせた画像を表示できる。
【００７３】
また、例えば、表示装置２は、ユーザーの外観の画像と衣服の画像を合成した画像を記
憶部等に記憶し、或いは、外部の装置に出力可能な構成であってもよい。この場合、合成
した画像を記憶して、後日に使用したり、ユーザーが持ち帰ったりすることができる。ま
た、合成した複数の画像を、表示装置２が一覧表示する構成としてもよく、この場合は商
品衣服の選択において利便性が向上する。
【００７４】
また、例えば、自宅用サーバー３は、自宅衣服ＤＢ３ａに、衣服データに対応付けて、
自宅衣服ＤＢ３ａに登録した日時や日付を記憶させてもよい。この場合、ユーザーは、自
宅衣服ＤＢ３ａに記憶された衣服データを、日時に基づいて検索できる。さらに、衣服デ
ータに対応付けて記憶する日時や日付を、衣服を着用した日時や日付とすることもでき、
この場合、例えば、ある行事に何を着ていったかを調べることができる。
また、例えば、上述した実施形態では、ユーザーの外観の画像に組み合わせる画像を衣
服の画像として例示したが、これに限られない。例えば、メガネや、靴、カバン等の小物
の画像や、髪型の画像等を組み合わせてもよい。
また、図２に示した表示装置２の各機能部は、ハードウェアとソフトウェアとの協働に
より実現される機能的構成を示すものであって、具体的な実装形態は特に制限されない。
従って、必ずしも各機能部に個別に対応するハードウェアが実装される必要はなく、一つ
のプロセッサーがプログラムを実行することで複数の機能部の機能を実現する構成とする
ことも勿論可能である。また、上記実施形態においてソフトウェアで実現されている機能
の一部をハードウェアで実現してもよく、あるいは、ハードウェアで実現されている機能
の一部をソフトウェアで実現してもよい。その他、表示システム１の他の各部の具体的な
細部構成についても、本発明の趣旨を逸脱しない範囲で任意に変更可能である。
【符号の説明】
【００７５】
１…表示システム、２…表示装置、３ａ…自宅衣服ＤＢ（対象者衣服データ記憶部）、
４…衣服画像サーバー（検索サーバー）、２１…制御部、２３…表示部、２４…入力部、
２５…カメラ（撮影部）、２６…通信部、２７…読取部、２１１…データ取得部、２１２
…衣服画像データ取得部、２１３…対象画像データ取得部、２１４…画像合成部。
【図１】
2016095556.tif 000003
【図２】
2016095556.tif 000004
【図３】
2016095556.tif 000005